(57)【要約】  この移動観覧席は、階段状の展開位置と、上下に重なる収納位置との間で移動可能な複数段の床台２と、前記床台の前端部にその前端部から前方へ突出して設けられた座３と、その座の後方位置にて前記床台の前端部上に、起立した使用位置と後方へ倒れた収納位置との間で起倒可能に設けられた背４とを有する椅子１と、前記背を前記使用位置と前記収納位置との間で移動させる背駆動機構１２とを具えるものであって、前記背駆動機構１２が、前記背の下端部に一端部を連結されて前記背を前記使用位置と前記収納位置との間で回動させるとともに、前記背を前記使用位置へ位置させる移動により掛合部１８と掛合して前記背を前記使用位置でロックする第１リンク２２と、前記第１リンクの他端部に端部を連結されるとともに基部を支持軸で支持された第２リンク２０と、前記第２リンクを回動させるアクチュエータ１３と、を有するリンク機構であることを特徴とし、これにより、着座の際等に例えば背に大きな力が加わった場合でも、背が予期せず倒れてしまうことを防止することができる。
2010023754.tif 000002
【特許請求の範囲】
【請求項１】
階段状の展開位置と、上下に重なる収納位置との間で移動可能な複数段の床台と、
前記床台の前端部にその前端部から前方へ突出して設けられた座と、その座の後方位置にて前記床台の前端部上に、起立した使用位置と後方へ倒れた収納位置との間で起倒可能に設けられた背と、を有する椅子と、
前記背を前記使用位置と前記収納位置との間で移動させる背駆動機構と、
を具える収納式観覧席において、
前記背駆動機構が、
前記背の下端部に一端部を連結されて前記背を前記使用位置と前記収納位置との間で回動させるとともに、前記背を前記使用位置へ位置させる移動により掛合部と掛合して前記背を前記使用位置でロックする第１リンクと、
前記第１リンクの他端部に端部を連結されるとともに基部を支持軸で支持された第２リンクと、
前記第２リンクを回動させるアクチュエータと、
を有するリンク機構であることを特徴とする、収納式観覧席。
【請求項２】
前記背駆動機構の前記掛合部は、前記支持軸であることを特徴とする、請求項１記載の収納式観覧席。
【請求項３】
前記複数段の床台のうち下から二段目以上の床台は、各々後方の貫材を介して片持ち状態で支持されており、
前記収納式観覧席は、
前記貫材の前の前記床台の後端部に、前記展開位置にある上側の前記床台の前端部と掛合してその前端部を固定支持するロック位置とその前端部を解放する解放位置との間で移動可能に設けられた床台ロック部材と、
前記床台ロック部材を前記ロック位置と前記解放位置との間で移動させる床台ロック部材駆動機構と、
を具えることを特徴とする、請求項１または２記載の収納式観覧席。
【請求項４】
前記床台ロック部材駆動機構は、鉛直方向へ延在させて配置したねじ軸またはそこに螺合するナットをモータで回動させることにより、それらねじ軸とナットとを相対移動させて前記床台ロック部材を前記ロック位置と前記解放位置との間で自動的に昇降移動させるねじ機構であることを特徴とする、請求項３記載の収納式観覧席。
【請求項５】
前記床台ロック部材駆動機構は、足動部材または手動部材により駆動されて前記床台ロック部材を前記ロック位置と前記解放位置との間で昇降移動させるトグル機構であることを特徴とする、請求項３記載の収納式観覧席。
【発明の詳細な説明】
【技術分野】
【０００１】
この発明は、階段状の展開位置と、上下に重なる収納位置との間で移動可能な複数段の床台と、それらの床台に設けられた椅子とを具える収納式観覧席に関するものである。
【背景技術】
【０００２】
収納式観覧席は、一般に図１４に示すように、横並びに配置された複数の椅子（図では各段一つずつ示す）１を支持する複数の床台２を具え、それらの床台２を、図１４（ａ）に示す如き、使用時の互いに階段状にずれる展開状態と、図１４（ｂ）に示す如き、収納時の互いに上下に整列する重合状態との間で移動させるとともに、その重合状態では各床台２上の椅子１を倒して床台２の上下間隔を少なくすることで、全体にコンパクトに纏まって壁際等の収納位置に収納され、またその展開状態では各床台２上の椅子１を起して階段状の観覧席を形成する。【０００３】
そして、上記のように椅子を倒れた状態と起きた状態との間で移動させるために収納式観覧席は、椅子移動装置を具えており、この椅子移動装置は、図１５（ａ）に示すように椅子１の座３と背４を重ね合わせた状態で、それら座３と背４とを起立させるように支柱５を、モータとその出力回転を減速する減速機とからなる回動機構６で回動させて、椅子１を、座３を前に倒すと着座可能になる使用状態とするとともに、図１５（ｂ）に示すように椅子１の座３と背４を重ね合わせた状態で、それら座３と背４とを倒すように支柱５を回動機構６で回動させて椅子１を収納状態として、図１５（ｃ）に示すように床台２の段差の間に椅子１が収まるようにしている（例えば特開平７−２５５５５５号公報参照）。【０００４】
ところで、収納式観覧席の椅子が、各床台の前端部から前方へ突出して設けられた座と、その座の後方位置にて床台の前端部上に、起立した使用位置と後方へ倒れた収納位置との間で起倒可能に設けられた背とを有し、その背が背駆動機構により、使用位置と収納位置との間で移動される場合がある。
【発明の開示】
【発明が解決しようとする課題】
【０００５】
しかしながらかかる構成の場合に、背駆動機構が背を移動させるのみであると、着座の際等に例えば背に大きな力が加わった場合に、その力で背駆動機構が逆駆動されて背が予期せず倒れてしまう可能性があるというという問題があった。【０００６】
そして、この問題の解決のために背駆動機構と別途に例えば電動の背ロック機構を設けることとすると、背周りの構造が複雑になるとともに、その背ロック機構分のコストが嵩むという新たな問題が生ずる。
【課題を解決するための手段】
【０００７】
この発明は、上記課題を有利に解決することを目的とするものであり、この発明の収納式観覧席は、階段状の展開位置と、上下に重なる収納位置との間で移動可能な複数段の床台と、前記床台の前端部にその前端部から前方へ突出して設けられた座と、その座の後方位置にて前記床台の前端部上に、起立した使用位置と後方へ倒れた収納位置との間で起倒可能に設けられた背と、を有する椅子と、前記背を前記使用位置と前記収納位置との間で移動させる背駆動機構と、を具える収納式観覧席において、前記背駆動機構が、前記背の下端部に一端部を連結されて前記背を前記使用位置と前記収納位置との間で回動させるとともに、前記背を前記使用位置へ位置させる移動により掛合部と掛合して前記背を前記使用位置でロックする第１リンクと、前記第１リンクの他端部に端部を連結されるとともに基部を支持軸で支持された第２リンクと、前記第２リンクを回動させるアクチュエータと、を有するリンク機構であることを特徴とするものである。
【発明の効果】
【０００８】
かかる収納式観覧席にあっては、複数段の床台が階段状の展開位置に移動した際には、背駆動機構が、背を後方へ倒れた収納位置から起立した使用位置へ移動させ、その際アクチュエータが、第１リンクの他端部に端部を連結されるとともに基部を支持軸で支持された第２リンクを回動させ、これにより、背の下端部に一端部を連結された第１リンクが背を収納位置から使用位置へ移動させるとともに、背をその使用位置へ位置させる移動により掛合部と掛合して背を使用位置でロックする。【０００９】
また複数段の床台が上下に重なる収納位置に移動する際には、背駆動機構が、背を起立した使用位置から後方へ倒れた収納位置へ移動させ、その際アクチュエータが、第１リンクの他端部に端部を連結されるとともに基部を支持軸で支持された第２リンクを上記と逆に回動させ、これにより、背の下端部に一端部を連結された第１リンクが背を使用位置から収納位置へ移動させるとともに、背をその収納位置へ位置させる移動により先ず掛合部から分離して背のロックを解除する。【００１０】
従って、この発明の収納式観覧席によれば、複数段の床台の移動に対応させて椅子の背を収納位置と使用位置との間で自動的に移動させることができるとともに、複数段の床台が階段状の展開位置に移動して椅子の背が使用位置に位置した状態では背をその使用位置にロックしているので、着座の際等に例えば背に大きな力が加わった場合でも、背が予期せず倒れてしまうことを防止することができる。【００１１】
しかも、この発明の収納式観覧席によれば、別途背ロック機構を設ける必要がないので、背周りの構造を簡略化できるとともに、背ロック機構分のコストを削減することができる。【００１２】
なお、この発明の収納式観覧席においては、前記背駆動機構の前記掛合部は、前記支持軸であると好ましい。このようにすれば、別途掛合部を設ける必要がないので、背周りの構造をさらに簡略化することができる。
【００１３】
また、この発明の収納式観覧席においては、前記複数段の床台のうち下から二段目以上の床台は、各々後方の貫材を介して片持ち状態で支持されており、前記収納式観覧席は、前記貫材の前の前記床台の後端部に、前記展開位置にある上側の前記床台の前端部と掛合してその前端部を固定支持するロック位置とその前端部を解放する解放位置との間で移動可能に設けられた床台ロック部材と、前記床台ロック部材を前記ロック位置と前記解放位置との間で移動させる床台ロック部材駆動機構と、を具えていると好ましい。このように座を床台の前端部から突出させて設けるとともに、貫材の前の床台の後端部に床台ロック部材およびその駆動機構を設ければ、床台ロック部材およびその駆動機構の分椅子が前に出されることがないので、床台上の椅子の前の通路スペースを広く確保することができる。【００１４】
そして、この発明の収納式観覧席においては、前記床台ロック部材駆動機構は、鉛直方向へ延在させて配置したねじ軸またはそこに螺合するナットをモータで回動させることにより、それらねじ軸とナットとを相対移動させて前記床台ロック部材を前記ロック位置と前記解放位置との間で自動的に昇降移動させるねじ機構であると好ましい。このようなねじ機構を用いれば、簡易な構成で床台ロック部材を自動的に昇降移動させることができる。【００１５】
また、この発明の収納式観覧席においては、前記床台ロック部材駆動機構は、足動部材または手動部材により駆動されて前記床台ロック部材を前記ロック位置と前記解放位置との間で昇降移動させるトグル機構であっても好ましい。このようなトグル機構を用いれば、より簡易な構成で床台ロック部材を昇降移動させることができる。
【図面の簡単な説明】
【００１６】
【図１】この発明の収納式観覧席の一実施例を床台を展開位置および収納位置とするとともに椅子の背を使用位置および収納位置とした状態で床台の側方から見て示す断面図である。
【図２】上記実施例の収納式観覧席の椅子を背を使用位置とするとともに座を使用位置および収納位置とした状態で示す正面図である。
【図３】上記実施例の収納式観覧席の背駆動機構を示す平面図である。
【図４】上記実施例の収納式観覧席の床台ロック部材および床台ロック部材駆動機構を床台の側方から見て示す断面図である。
【図５】上記実施例の収納式観覧席の床台ロック部材および床台ロック部材駆動機構を床台の前方から見て示す断面図である。
【図６】（ａ）は、上記実施例の収納式観覧席を床台の展開状態で示す側面図、（ｂ）は、その収納式観覧席を床台の収納状態で示す側面図である。
【図７】上記実施例の収納式観覧席の、ブラケットおよび床台ロック部材を異ならせた一変形例を示す正面図である。
【図８】上記実施例の収納式観覧席の、床台ロック部材駆動機構を異ならせた一変形例を、床台ロック部材をロック位置に位置させた状態で床台の側方から見て示す断面図である。
【図９】上記変形例における床台ロック部材駆動機構を、床台ロック部材をロック位置に位置させた状態で床台の前方から見て示す透視図である。
【図１０】上記変形例における床台ロック部材駆動機構を、床台ロック部材を解放位置に位置させた状態で床台の側方から見て示す断面図である。
【図１１】上記変形例における床台ロック部材駆動機構を床台に設置した状態で床台の側方から見て示す断面図である。
【図１２】上記実施例の収納式観覧席の、床台ロック部材駆動機構を異ならせた他の一変形例を、床台ロック部材をロック位置に位置させた状態で床台の前方から見て示す断面図である。
【図１３】上記他の変形例における床台ロック部材駆動機構を、床台ロック部材を解放位置に位置させた状態で床台の前方から見て示す断面図である。
【図１４】（ａ）は、従来の収納式観覧席を床台の展開状態で示す側面図、（ｂ）は、その収納式観覧席を床台の収納状態で示す側面図である。
【図１５】（ａ）〜（ｃ）は、図８に示す収納式観覧席の床台の展開状態と収納状態との間の移動に伴う椅子の作動を示す説明図である。
【発明を実施するための最良の形態】
【００１７】
以下に、この発明の実施の形態を実施例によって、図面に基づき詳細に説明する。ここに、図１は、この発明の収納式観覧席の一実施例を床台を展開位置および収納位置とするとともに椅子の背を使用位置および収納位置とした状態で床台の側方から見て示す断面図、図２は、その実施例の収納式観覧席の椅子を背を使用位置とするとともに座を使用位置および収納位置とした状態で示す正面図、図３はその実施例の収納式観覧席の背駆動機構を示す平面図、図４はその実施例の収納式観覧席の床台ロック部材および床台ロック部材駆動機構を床台の側方から見て示す断面図、そして図５は、その実施例の収納式観覧席の床台ロック部材および床台ロック部材駆動機構を床台の前方から見て示す断面図であり、図中従来例と同様の部分はそれと同一の符号にて示す。また、図１および図４では左方が椅子および床台の前方、右方が椅子および床台の後方を示す。【００１８】
すなわち、図中符号１は椅子、２は収納式観覧席の床台、３は椅子１の座、４は椅子１の背、７は貫材をそれぞれ示し、この実施例の収納式観覧席は、各床台２をその下面に設けた梁材８により、床台２の後端部の後方に配置した貫材７に結合し、各床台２を貫材７を介して周知のように、その貫材７の後面(図１では右向きの面)に固定された図示しない脚部材により片持ち状態で支持する支持構体を具えており、その支持構体は下端部に走行ローラを有して、前後走行可能とされている。またこの実施例の収納式観覧席では、各床台２の前端部に断面コ字状のフレーム９がその開口部を下向きにして固設されており、各椅子１の背４は、その下端部を支持軸４ａを介してフレーム９に支持されて、図１中左側および中央に示すように起立した使用位置と、図１中右側に示すように後方へ仰向けに倒れた収納位置との間で起倒可能にされている。さらに最上段を除いて、各床台２を支持する貫材７の後ろの上記脚部材の上端部には、その上に位置する床台２を前後移動可能に支持する図示しない支持ローラが設けられている。【００１９】
また椅子１は、図２に示すように、横並びに複数配置されて連結椅子を構成しており、各椅子１は座３の左右両側に、隣同士では共通の仕切り板１０を有し、この仕切り板１０は、その下端部を図２では図示しない上記フレーム９に固設されるとともに、その上端部に肘１１を設けられている。そして座３は、その後部を支持軸３ａを介して左右の仕切り板１０に支持されて、図１中中央および右側に示すように起立した収納位置と、図１中左側に示すように略水平に倒れた使用位置との間で起倒可能にされるとともに、図示しないスプリングによって上記収納位置へ向けて常時付勢されている。【００２０】
フレーム９内には、背駆動機構１２が設けられており、この背駆動機構１２は、図１の左側と中央とで別の位置の断面を示すとともに図３に平面図で示すように、アクチュエータとしての、減速機付きのモータ１３と、フレーム９に回動可能に支持されて床台２の左右方向へ延在する伝動軸１４と、モータ１３の出力軸に固設された駆動歯車１５と伝動軸１４に固設されてその駆動歯車１５と噛合した被駆動歯車１６とからなる第１の歯車組１７と、各椅子１の位置でフレーム９に回動可能に支持された歯車支持軸１８と、各椅子１の位置で伝動軸１４に固設された駆動歯車１９と歯車支持軸１８に固設されてその駆動歯車１９と噛合した被駆動歯車２０とからなる第２の歯車組２１と、上端部を背４の下端部の、支持軸４ａから外れた位置に連結された、第１リンクとしての二本のリンク２２とを有し、この二本のリンク２２の下端部は、上記第２の歯車組２１の、第２リンクとしての被駆動歯車２０の、歯車支持軸１８に固定された基部としての中心部から外れた、端部としての周辺部を貫通する連結軸２３の両端部に連結されている。【００２１】
この構成により背駆動機構１２は、モータ１３で第１の歯車組１７を介して伝動軸１４を回動させ、その回動を第２の歯車組２１を介して各椅子１に対応する歯車支持軸１８に伝動し、第２の歯車組２１の被駆動歯車２０に設けた連結軸２３で二本のリンク２２を押し引きして、そのリンク２２を引くことで背４を上記起立した使用位置へ回動させる一方、そのリンク２２を押すことで背４を上記後方へ倒れた収納位置へ回動させる。また図３に示すように、何れかの歯車支持軸１８にカム軸２４が結合され、そのカム軸２４には二個のカム２５が設けられ、これらのカム２５は、二個のマイクロスイッチ２６をそれぞれ別の回動位置で作動させることで、背４が上記使用位置と収納位置とに位置した時にモータ１３の作動を停止させる。【００２２】
ここで、リンク２２は、下部が略L字状に曲がっており、これにより、図１の中央に示すように、背４が上記使用位置に位置するとリンク２２の曲がった下部が、掛合部としての歯車支持軸１８と掛合して、背４からリンク２２に引き上げ力が加わってもその引き上げを阻止し、背４を使用位置でロックする。従って、着座中に力が背４に大きな加わっても、背４が予期せずに倒れるのを防止することができる。【００２３】
さらに、この実施例の収納式観覧席では、床台２の左右方向両端部付近の、貫材７の前に位置する、床台２の後端部に、梁材８よりも高く位置するよう、図４および図５に示すように、裁頭円錐状の上端部２７ａを持つとともに上方から見てコ字状をなす角筒状の床台ロック部材２７がその軸線を鉛直方向へ延在させて配置されるとともに、床台２の後端部に、貫材７および梁材８に支持されて床台ロック部材駆動機構２８が設けられており、この床台ロック部材駆動機構２８は、図４の左側と中央とで別の位置の断面を示すとともに図５に正面図で示すように、減速機付のモータ２９と、貫材７および梁材８に回動可能に支持されて床台２の左右方向へ延在する伝動軸３０と、モータ２９の出力軸と伝動軸３０の一端部との間に一個介挿されるとともに伝動軸３０の図示しない他端部にもう一個連結された二個のウォーム３１と、床台ロック部材２７と同芯に軸線を鉛直方向へ延在させて回動可能に貫材７および梁材８に支持されて梁材８の上方へ突出するボールネジ軸３２と、そのボールネジ軸３２の下端部に固設されてウォーム３１と噛合するウォームホイール３３と、床台ロック部材２７の下端部に固設されてボールネジ軸３２と螺合するボールナット３４と、ボールナット３４ひいては床台ロック部材２７を回り止めするための二個のリンク３５とを有している。【００２４】
この構成により床台ロック部材駆動機構２８は、モータ２９で図５に示すウォーム３１を回動させるとともに伝動軸３０を介して図示しないもう一つのウォーム３１を回動させ、それらのウォーム３１によりそれぞれウォームホイール３３ひいてはボールネジ軸３２を回動させてボールナット３４を昇降移動させることにより、床台２の左右方向両端部付近の二本の床台ロック部材２７を同時に昇降移動させて、図４の中央および図５に示すようにその上昇位置で、各床台ロック部材２７の上端部２７ａを、その床台ロック部材２７が設けられた床台２の上の床台２の前端部に設けられたフレーム９内にその床台ロック部材２７と対向して固設されたブラケット３６の受け孔３６ａに掛合させ、これによりその上の床台２の前端部を床台ロック部材２７で固定支持する一方、図４の右側に示すようにその下降位置で、各床台ロック部材２７の上端部２７ａを、その床台ロック部材２７が設けられた床台２の上の床台２の前端部に設けられたフレーム９内のブラケット３６の受け孔３６ａから離脱させ、これによりその上の床台２の前端部を床台ロック部材２７から解放する。【００２５】
また図５に示すように、一方の床台ロック部材２７の側面にはカム３７が設けられ、このカム３７は、二個のマイクロスイッチ３８をそれぞれ別の位置で作動させることで、床台ロック部材２７が上記上昇位置と下降位置とに位置した時にモータ２９の作動を停止させる。そして二個のリンク３５は互いに一端部同士を連結されるとともに他端部を床台ロック部材２７と梁材８とにそれぞれ連結されて、ボールネジ軸３２の回動に対しボールナット３４ひいては床台ロック部材２７が供回りするのを防止する。【００２６】
かかる構成を具えるこの実施例の収納式観覧席にあっては、図６（ａ）に示すように複数段の床台２が階段状の展開位置に移動した際には、背駆動機構１２が、背４を後方へ倒れた収納位置から起立した使用位置へ自動的に移動させ、その際モータ１３が、リンク２２の下端部に周辺部を連結されるとともに中心部を歯車支持軸１８で支持された被駆動歯車２０を回動させ、これにより、背４の下端部に上端部を連結されたリンク２２が背４を収納位置から使用位置へ揺動させるとともに、背４をその使用位置へ位置させる移動により歯車支持軸１８と掛合して背４を使用位置でロックする。【００２７】
また図６（ｂ）に示すように複数段の床台２が上下に重なる収納位置に移動する際には、背駆動機構１２が、背４を起立した使用位置から後方へ倒れた収納位置へ自動的に移動させ、その際モータ１３が、リンク２２の下端部に周辺部を連結されるとともに中心部を歯車支持軸１８で支持された被駆動歯車２０を上記と逆に回動させ、これにより、背４の下端部に上端部を連結されたリンク２２が背４を使用位置から収納位置へ揺動させるとともに、背４をその収納位置へ位置させる移動により先ず歯車支持軸１８への掛合状態から分離して背４のロックを解除する。【００２８】
従って、この実施例の収納式観覧席によれば、複数段の床台２が階段状の展開位置に移動して椅子１の背４が使用位置に位置した状態では背４をその使用位置にロックしているので、着座の際等に例えば背４に大きな力が加わった場合でも、背４が予期せず倒れてしまうことを防止することができる。【００２９】
しかも、この実施例の収納式観覧席によれば、別途背ロック機構を設ける必要がないので、背４周りの構造を簡略化できるとともに、背ロック機構分のコストを削減することができる。【００３０】
さらに、この実施例の収納式観覧席によれば、背駆動機構の掛合部は歯車支持軸１８であるため、別途掛合部を設ける必要がないので、背周りの構造をさらに簡略化することができる。【００３１】
さらに、この実施例の収納式観覧席にあっては、図６（ａ）に示すように複数段の床台２が階段状の展開位置に移動した際には、貫材７の前の床台２の後端部に設けた床台ロック部材２７が、床台ロック部材駆動機構２８により駆動されてロック位置に自動的に上昇移動し、その上の床台２の前端部のブラケット３６と掛合してその前端部を下の段の支持ローラから僅かに持ち上げて固定支持することで、展開位置での各床台２の横揺れや前後揺れを防止し、また図６（ｂ）に示すように複数段の床台２が上下に重なる収納位置へ移動する際には、床台ロック部材２７が、床台ロック部材駆動機構２８により駆動されて解放位置に自動的に下降移動し、その上の床台２の前端部を解放して下の段の支持ローラ上に降ろす。【００３２】
ところで、この観覧席のように下から二段目以上の床台２が各々後方の貫材７を介して片持ち状態で支持されている場合は、展開位置にある床台２が椅子１への着座および離座によって上下に動き易いため、床台ロック部材およびその駆動機構を設けることが多く、その場合に安定性を高めるために貫材の前に設けることが多いが、図１５に示す従来の収納式観覧席では椅子が貫材の前に隣接して配置されているため、床台ロック部材およびその駆動機構を貫材の前に設けるとその分椅子が前に出されて、床台上の椅子の前の通路スペースが狭くなるという問題がある処、この実施例の収納式観覧席によれば、座３を床台２の前端部から突出させて設けるとともに、貫材７の前の床台２の後端部に床台ロック部材２７および床台ロック部材駆動機構２８を設けているため、それら床台ロック部材２７および床台ロック部材駆動機構２８のスペース分椅子１が前に出されることがないので、床台２上の椅子１の前の通路スペースを広く確保することができる。【００３３】
そして、この実施例の収納式観覧席によれば、床台ロック部材駆動機構２８は、鉛直方向へ延在させて配置したねじ軸３２をモータ２９で回動させることにより、ねじ軸３２とナット３４とを相対移動させて床台ロック部材２７をロック位置と解放位置との間で自動的に昇降移動させるねじ機構であるので、簡易な構成で床台ロック部材２７を自動的に昇降移動させることができる。【００３４】
図７は、上記実施例の収納式観覧席の、ブラケット３６および床台ロック部材２７を異ならせた一変形例を示す正面図であり、この変形例は、ブラケット３６が受け孔３６ａを持たず、代わりに床台１の横方向両側に前方から見て三角形の弾性体製、例えばゴム製の張り出しブロック３６ｂを固着されており、また床台ロック部材２７がその上端部に、ブラケット３６とその両側の張り出しブロック３６ｂの形状に対応して上に行くほど開いた略コ字状の掛合部２７ｂを有している点のみ、先の実施例と異なっており、他の点では先の実施例と同様に構成されている。【００３５】
かかる変形例の収納式観覧席によれば、先の実施例と同様の作用効果が得られるのに加えて、張り出しブロック３６ｂが制振作用を持つので、床台２にたとえ横揺れが生じてもそれを早期に収めることができる。【００３６】
図８は、上記実施例の収納式観覧席の、床台ロック部材駆動機構２８を異ならせた一変形例を、床台ロック部材２７をロック位置に位置させた状態で床台２の側方から見て示す断面図、図９は、上記変形例における床台ロック部材駆動機構２８を、床台ロック部材２７をロック位置に位置させた状態で床台２の前方から見て示す透視図、図１０は、上記変形例における床台ロック部材駆動機構２８を、床台ロック部材２７を解放位置に位置させた状態で床台２の側方から見て示す断面図、そして図１１は、上記変形例における床台ロック部材駆動機構２８を、床台２に設置した状態で床台２の側方から見て示す断面図である。【００３７】
この変形例の収納式観覧席は、床台ロック部材駆動機構２８が床台ロック部材２７を足動部材で昇降駆動するように構成したものであり、図中先の実施例および変形例と同様の部分はそれと同一の符号にて示す。ここにおける床台ロック部材駆動機構２８は、図８に示すように、ベース板３９上に立設されて上方から見てコ字状をなす支柱４０を有し、この支柱４０は、両側壁に上下方向へ延在する長孔４０ａを形成されるとともに、両側壁を繋ぐ中央壁の下半部に開口部４０ｂを形成され、この支柱４０の上端部には、丸孔４１ａを持つロック部材ブラケット４１が固設され、その丸孔４１ａ内に、床台ロック部材２７のここでは丸パイプ状の支持部２７ｃが摺動可能に挿通されている。なお、この変形例では先の変形例と同様、ブラケット３６が受け孔３６ａを持たず、代わりに床台１の横方向両側に前方から見て三角形の弾性体製、例えばゴム製の張り出しブロック３６ｂを固着されており、床台ロック部材２７も、支持部２７ｃの上端部に固設された、ブラケット３６とその両側の張り出しブロック３６ｂの形状に対応して上に行くほど開いた略コ字状の掛合部２７ｂと、その掛合部２７ｂ上に設けられた弾性パッド２７ｄとを有している。【００３８】
またこの変形例における床台ロック部材駆動機構２８は、ベース板３９上に立設されてこれも上方から見てコ字状をなすペダルブラケット４２と、足動部材としてのペダル４３とを有し、ペダルブラケット４２は支柱４０の開口部４０ｂ内に、支柱４０と逆向きに開口するように配置されて、ペダル４３の中央部を支持軸４４を介し揺動可能に支持している。そしてペダル４３は、先端部４３ａに長孔４３ｂを有している。【００３９】
さらにこの変形例における床台ロック部材駆動機構２８は、トグル機構を構成する各々二枚ずつの下リンク４５および上リンク４６を有し、下リンク４５の上端部と上リンク４６の下端部とは、ペダル４３の先端部４３ａの長孔４３ｂを貫通するピン４７を介して互いに連結され、下リンク４５の下端部はピン４８を介して支柱４０の下端部に揺動可能に支持され、上リンク４６の上端部は、支柱４０の両側壁の長孔４０ａを貫通するとともに床台ロック部材２７の支持部２７ｃの下端部を貫通するピン４９を介して、その床台ロック部材２７に連結されている。そして、二枚の上リンク４６はブラケット５０を介して互いに一体的に結合され、また二枚の下リンク４５もピン５１を介して互いに一体的に結合されており、二本のピン４８,４９の間には引っ張りスプリング５２が掛け渡されている。【００４０】
かかる床台ロック部材駆動機構２８にあっては、ペダル４３の基端部（図８では左端部）を人が足で踏み降ろすと、ペダル４３の先端部４３ａの長孔４３ｂを貫通するピン４７が持ち上げられて下リンク４５を上方へ揺動させ、これによりピン４７を介して上リンク４６が持ち上げられて、その上リンク４６に支柱４０の長孔４０ａで案内されたピン４９を介して連結された床台ロック部材２７が、引っ張りスプリング５２の張力に抗して上昇し、図８および図９に示すロック位置に至る。このロック位置に床台ロック部材２７が至る間にピン４７はピン４８，４９を結ぶ線上の死点を越えて図では左方へ移動しているので、このロック位置では下リンク４５および上リンク４６は引っ張りスプリング５２の張力によりペダルブラケット４２に当接して安定している。そしてこのロック位置では下リンク４５および上リンク４６の三本のピンは上下方向にほぼ直線状に並んでいるので、上の床台２のブラケット３６から床台ロック部材２７に加わる押し下げ力の大部分はピン４８および支柱４０を介してベース板３９で支持される。【００４１】
また、この床台ロック部材駆動機構２８にあっては、ペダル４３の基端部（図８では左端部）を人が足等を掛けて持ち上げると、ペダル４３の先端部４３ａの長孔４３ｂを貫通するピン４７が斜め下方へ押し下げられて、上記安定した状態からピン４７がピン４８，４９を結ぶ線上の死点を越えて図では右方へ移動して下リンク４５を上方へ揺動させ、これによりピン４７を介して上リンク４６が引っ張りスプリング５２の張力とも相俟って押し下げられて、その上リンク４６にピン４９を介して連結された床台ロック部材２７が下降し、図１０に示す解放位置に至る。【００４２】
かかる変形例の収納式観覧席によれば、複数段の床台２が階段状の展開位置に移動した際には、図１１の左側に示すように、貫材７の前の床台２の後端部に設けた床台ロック部材２７が、床台ロック部材駆動機構２８により駆動されてロック位置に上昇移動し、その上の床台２の前端部のブラケット３６と掛合してその前端部を固定支持することで、展開位置での各床台２の横揺れや前後揺れを防止し、また複数段の床台２が上下に重なる収納位置へ移動する際には、図１１の右側に示すように、床台ロック部材２７が、床台ロック部材駆動機構２８により駆動されて解放位置に下降移動し、その上の床台２の前端部を解放することができる。【００４３】
しかもこの変形例の収納式観覧席によれば、床台ロック部材駆動機構２８が、ペダル４３により駆動されて床台ロック部材２７をロック位置と解放位置との間で昇降移動させるトグル機構であるので、より簡易な構成で床台ロック部材２７を昇降移動させることができる。【００４４】
図１２は、上記実施例の収納式観覧席の、床台ロック部材駆動機構２８を異ならせた他の一変形例を、床台ロック部材２７をロック位置に位置させた状態で床台２の前方から見て示す断面図、また図１３は、上記他の変形例における床台ロック部材駆動機構２８を、床台ロック部材２７を解放位置に位置させた状態で床台２の前方から見て示す断面図である。【００４５】
この変形例の収納式観覧席は、床台ロック部材駆動機構２８が床台ロック部材２７を手動部材で昇降駆動するように構成したものであり、図中先の実施例および変形例と同様の部分はそれと同一の符号にて示す。ここにおける床台ロック部材駆動機構２８は、先の変形例と同様、トグル機構で床台ロック部材２７を昇降させるものであるが、そのトグル機構をレバーで駆動するようにしたものであり、このため図１２，１３に示すように、下リンク４５と一体に形成されて下リンク４５の一端部から支柱４０の側方へ延在するレバー５３を有している点および、支柱４０の上端部に固設された、丸孔４１ａを持つロック部材ブラケット４１が、板材をコ字状に折曲して形成されている点で、先の変形例と異なっており、他の点では先の変形例と同様に構成されている。【００４６】
かかる変形例の収納式観覧席によっても、先の変形例と同様の作用効果を奏することができる。【００４７】
以上、図示例に基づき説明したが、この発明は上述の例に限定されるものでなく、例えば、床台ロック部材２７をフック状にするとともに、床台ロック部材駆動機構２８がその床台ロック部材２７を回動させるようにして、その上の床台２の前端部を掛合固定しても良い。また背駆動機構の第２リンクが掛合する掛合部は、歯車支持軸１８でなく別個に設けても良く、その第２リンクは、被駆動歯車２０でなく、軸で駆動される通常の腕状のリンクとしても良く、その第２リンクを回動させるアクチュエータは、モータ１３でなく液圧シリンダ等でも良い。そして床台ロック部材駆動機構２８は、上記実施例および変形例以外の機構を用いて床台ロック部材を移動させるものでも良い。
【産業上の利用可能性】
【００４８】
かくしてこの発明の収納式観覧席によれば、複数段の床台の移動に対応させて椅子の背を収納位置と使用位置との間で自動的に移動させることができるとともに、複数段の床台が階段状の展開位置に移動して椅子の背が使用位置に位置した状態では背をその使用位置にロックしているので、着座の際等に例えば背に大きな力が加わった場合でも、背が予期せず倒れてしまうことを防止することができる。しかも、別途背ロック機構を設ける必要がないので、背周りの構造を簡略化できるとともに、背ロック機構分のコストを削減することができる。
【図１】
2010023754.tif 000003
【図２】
2010023754.tif 000004
【図３】
2010023754.tif 000005
【図４】
2010023754.tif 000006
【図５】
2010023754.tif 000007
【図６】
2010023754.tif 000008
【図７】
2010023754.tif 000009
【図８】
2010023754.tif 000010
【図９】
2010023754.tif 000011
【図１０】
2010023754.tif 000012
【図１１】
2010023754.tif 000013
【図１２】
2010023754.tif 000014
【図１３】
2010023754.tif 000015
【図１４】
2010023754.tif 000016
【図１５】
2010023754.tif 000017
【国際調査報告】
2010023754.tif 000018
2010023754.tif 000019
2010023754.tif 000020
2010023754.tif 000021